(57)【要約】【課題】高い結像性能を保ちつつ、高倍率化を実現する。【解決手段】接眼光学系５２は、表示面５１ａ側からアイポイントＥＰ側へ順に、正の屈折力を有する第１レンズＬ１と、正の屈折力を有する第２レンズＬ２と、負の屈折力を有する第３レンズＬ３と、正の屈折力を有する第４レンズＬ４と、が配置されて成り、所定の条件式（１）〜（４）を満足するように構成されている。【選択図】図２
2019215411.tif 000002
【特許請求の範囲】
【請求項１】
表示面を拡大して観察するための接眼光学系であって、
前記表示面側から瞳側へ順に、正の屈折力を有する第１レンズと、正の屈折力を有する第２レンズと、負の屈折力を有する第３レンズと、正の屈折力を有する第４レンズと、が配置されて成り、
前記表示面の対角長をＨ、前記接眼光学系全系の焦点距離をｆ、前記第１レンズと前記第２レンズの合成焦点距離をｆ１２、前記第３レンズの焦点距離をｆ３、前記第４レンズの焦点距離をｆ４とするとき、以下の条件式（１）〜（４）を満足する
ことを特徴とする接眼光学系。
０．５０＜Ｈ／ｆ＜０．７３        ・・・（１）
０．４８＜ｆ１２／ｆ＜０．６      ・・・（２）
−０．５６＜ｆ３／ｆ＜−０．３８  ・・・（３）
０．８２＜ｆ４／ｆ＜１．１５      ・・・（４）
【請求項２】
請求項１に記載された接眼光学系において、
前記第１レンズ、前記第２レンズ、前記第３レンズおよび前記第４レンズは、それぞれ、少なくとも片面が非球面形状である
ことを特徴とする接眼光学系。
【請求項３】
請求項１又は２に記載された接眼光学系において、
前記第１レンズ、前記第２レンズ、前記第３レンズおよび前記第４レンズは、視度調整に際して、光軸に沿って一体的に移動する
ことを特徴とする接眼光学系。
【請求項４】
請求項１から３のいずれか１項に記載された接眼光学系において、
前記第１レンズは、少なくとも片面が凹形状であり、該凹形状を前記表示面に向けた姿勢で配置されている
ことを特徴とする接眼光学系。
【請求項５】
請求項１から４のいずれか１項に記載された接眼光学系において、
前記第１レンズおよび前記第２レンズは、双方とも、少なくとも片面が凸形状であり、該凸形状同士を向い合わせた姿勢で配置されている
ことを特徴とする接眼光学系。
【請求項６】
請求項１から５のいずれか１項に記載された接眼光学系において、
前記第３レンズは、少なくとも片面が凹形状であり、該凹形状を前記瞳に向けた姿勢で配置されている
ことを特徴とする接眼光学系。
【請求項７】
請求項１から６のいずれか１項に記載された接眼光学系を有する
ことを特徴とする電子ビューファインダー。
【請求項８】
請求項７に記載された電子ビューファインダーを備える
ことを特徴とする撮像装置。
【発明の詳細な説明】
【技術分野】
【０００１】
本開示は、接眼光学系、電子ビューファインダー及び撮像装置に関する。
【背景技術】
【０００２】
特許文献１には、電子ビューファインダーに適した接眼光学系の一例として、３枚のレンズから成るトリプレットタイプの光学系が開示されている。具体的に、この特許文献１には、表示面（物体）側から瞳（射出）側へ順に、正の屈折力を有する第１レンズと、負の屈折力を有し、かつ表示面側に凹面を向けて配置される第２レンズと、正の屈折力を有する第３レンズと、を配置して成る接眼光学系が開示されている。
【先行技術文献】
【特許文献】
【０００３】
【特許文献１】特開２０１４−２１５４７１号公報
【発明の概要】
【発明が解決しようとする課題】
【０００４】
近年、前記特許文献１に記載されているような接眼光学系において、さらなる高倍率化が要求されている。そうした要求に応えるための方策としては、例えば、接眼光学系を成すレンズの焦点距離を短くすることが考えられるものの、単に焦点距離を調整するだけでは、収差補正に支障を来す虞がある。このことは、結像性能を良好に保つ上で好ましくない。
【０００５】
本開示は、かかる点に鑑みて成されたものであり、その目的とするところは、接眼光学系において、高い結像性能を保ちつつ、高倍率化を実現することにある。
【課題を解決するための手段】
【０００６】
本開示は、表示面を拡大して観察するための接眼光学系に係る。この接眼光学系は、前記表示面側から瞳側へ順に、正の屈折力を有する第１レンズと、正の屈折力を有する第２レンズと、負の屈折力を有する第３レンズと、正の屈折力を有する第４レンズと、が配置されて成り、前記表示面の対角長をＨ、前記接眼光学系全系の焦点距離をｆ、前記第１レンズと前記第２レンズの合成焦点距離をｆ１２、前記第３レンズの焦点距離をｆ３、前記第４レンズの焦点距離をｆ４とするとき、以下の条件式（１）〜（４）を満足する。
【０００７】
０．５０＜Ｈ／ｆ＜０．７３        ・・・（１）
０．４８＜ｆ１２／ｆ＜０．６      ・・・（２）
−０．５６＜ｆ３／ｆ＜−０．３８  ・・・（３）
０．８２＜ｆ４／ｆ＜１．１５      ・・・（４）
【発明の効果】
【０００８】
本開示によれば、高い結像性能を保ちつつ、高倍率化を実現することができる。
【図面の簡単な説明】
【０００９】
【図１】図１は、撮像装置の概略構成を例示する図である。
【図２】図２は、実施例１における接眼光学系の構成を示す断面図である。
【図３】図３は、実施例１の球面収差、非点収差、歪曲収差を示す図である。
【図４】図４は、実施例１の横収差図である。
【図５】図５は、実施例１において視度を変更して示す図２対応図である。
【図６】図６は、実施例１において視度を変更して示す図３対応図である。
【図７】図７は、実施例１において視度を変更して示す図４対応図である。
【図８】図８は、実施例２における接眼光学系の構成を示す断面図である。
【図９】図９は、実施例２の球面収差、非点収差、歪曲収差を示す図である。
【図１０】図１０は、実施例２の横収差図である。
【図１１】図１１は、実施例２において視度を変更して示す図８対応図である。
【図１２】図１２は、実施例２において視度を変更して示す図９対応図である。
【図１３】図１３は、実施例２において視度を変更して示す図１０対応図である。
【図１４】図１４は、実施例３における接眼光学系の構成を示す断面図である。
【図１５】図１５は、実施例３の球面収差、非点収差、歪曲収差を示す図である。
【図１６】図１６は、実施例３の横収差図である。
【図１７】図１７は、実施例３において視度を変更して示す図１４対応図である。
【図１８】図１８は、実施例３において視度を変更して示す図１５対応図である。
【図１９】図１９は、実施例３において視度を変更して示す図１６対応図である。
【発明を実施するための形態】
【００１０】
以下、本開示の実施形態を図面に基づいて説明する。なお、以下の説明は例示である。
【００１１】
図１は、撮像装置１００の概略構成を例示する図である。図１に示す撮像装置１００は、被写体を結像して光学像を得るための撮像レンズ１と、撮像レンズ１により得られた光学像を光電変換して画像信号を出力する撮像素子２と、撮像素子２から出力された画像信号に対して種々の信号処理を施す信号処理部３と、ドライバ４と、画像を視認するための電子ビューファインダー５と、を備えている。
【００１２】
電子ビューファインダー５は、画像を表示するための画像表示デバイス５１と、これに表示された画像を拡大観察するための接眼光学系５２と、を有する。
【００１３】
画像表示デバイス５１は、液晶やＥＬ等の液晶表示素子から成り、略矩形状の表示面５１ａを有している。この表示面５１ａには、信号処理部３から出力される信号に対応する画像が表示される。
【００１４】
接眼光学系５２は、表示面５１ａ上に表示された画像を拡大観察するためのレンズ系として構成されている。具体的に、本実施形態に係る接眼光学系５２は、表示面５１ａ側から、仮想絞りを示すアイポイントＥＰ側（瞳側）へ順に、正の屈折力を有する第１レンズＬ１と、正の屈折力を有する第２レンズＬ２と、負の屈折力を有する第３レンズＬ３と、正の屈折力を有する第４レンズＬ４と、が配置されて成る。また、図１に示すように、表示面５１ａと第１レンズＬ１の間には、カバーガラスＣが介在している。
【００１５】
第１レンズＬ１、第２レンズＬ２、第３レンズＬ３および第４レンズＬ４は、それぞれ、レンズ素材としてプラスチックを使用しており、少なくとも片面が非球面形状とされている。
【００１６】
また、後述の各実施例に示すように、第１レンズＬ１、第２レンズＬ２、第３レンズＬ３および第４レンズＬ４は、接眼光学系５２の視度調整に際して、光軸ＯＡに沿って一体的に移動する。
【００１７】
さらに、本実施形態に係る接眼光学系５２は、表示面５１ａの対角長をＨ、接眼光学系５２全系の焦点距離をｆ、第１レンズＬ１と第２レンズＬ２の合成焦点距離をｆ１２、第３レンズＬ３の焦点距離をｆ３、第４レンズＬ４の焦点距離をｆ４とするとき、以下の条件式（１）〜（４）を満足するように構成されている。
【００１８】
０．５０＜Ｈ／ｆ＜０．７３        ・・・（１）
０．４８＜ｆ１２／ｆ＜０．６      ・・・（２）
−０．５６＜ｆ３／ｆ＜−０．３８  ・・・（３）
０．８２＜ｆ４／ｆ＜１．１５      ・・・（４）
【００１９】
条件式（１）は、接眼光学系５２全系の焦点距離ｆに対する、表示面５１ａの対角長Ｈの比率を規定した式である。条件式（１）の上限値を超えた場合、瞳孔の大きさである有効径に対し、全系の焦点距離ｆが過度に短くなる。これにより、接眼光学系５２のＦ値が必要以上に低くなり（レンズが必要以上に明るくなる）、球面収差、コマ収差の補正が困難となる。逆に、条件式（１）の下限値を下回った場合、全系の焦点距離ｆに対し、表示面５１ａの対角長Ｈが過度に短くなる。これにより、表示面５１ａ上に表示される画像のサイズが小さくなるため、接眼光学系５２として用いる上で好ましくない。
【００２０】
条件式（２）は、全系の焦点距離ｆに対する、第１及び第２レンズＬ１，Ｌ２の合成焦点距離ｆ１２の比率を規定した式である。条件式（２）の上限値を超えた場合、合成焦点距離ｆ１２が過度に長くなるため、接眼光学系５２の小型化が困難となる。逆に、条件式（２）の下限値を下回った場合、合成焦点距離が過度に短くなるため、非点収差の補正に不利となる。
【００２１】
条件式（３）は、全系の焦点距離ｆに対する、第３レンズＬ３の焦点距離ｆ３の比率を規定した式である。条件式（３）の上限値を超えた場合、第３レンズＬ３の焦点距離ｆ３が過度に短くなることから、第３レンズＬ３の屈折力が必要以上に大きくなり、球面収差及びコマ収差の補正が困難となる。逆に、条件式（３）の下限値を下回った場合、第３レンズＬ３の焦点距離ｆ３が過度に長くなることから、第３レンズＬ３の屈折力が必要以上に小さくなり、色収差の補正が困難となる。
【００２２】
条件式（４）は、全系の焦点距離ｆに対する、第４レンズＬ４の焦点距離ｆ４の比率を規定した式である。条件式（４）の上限値を超えた場合、第４レンズＬ４の焦点距離ｆ４が過度に長くなるため、接眼光学系５２の小型化が困難となる。逆に、条件式（４）の下限値を下回った場合、第４レンズＬ４の焦点距離ｆ４が過度に短くなることから、第４レンズＬ４の屈折力が必要以上に小さくなり、球面収差、コマ収差の補正が困難となる。
【００２３】
そして、これら条件式（１）−（４）を全て満たすことで、高い結像性能を保ちつつ、接眼光学系５２の高倍率化を実現することができる。
【００２４】
すなわち、一般的なトリプレットタイプの接眼光学系を用いた場合、表示面側から瞳側へ順に、正の屈折力を有するレンズと、負の屈折力を有するレンズと、正の屈折力を有するレンズと、が配置されることになる。この場合、接眼光学系の倍率を高めるためには、例えば、３枚のレンズのうち、表示面付近に配置されるレンズ（正の屈折力を有するレンズ）の焦点距離を短くすることが考えられる。しかし、そのような構成では、収差補正が困難となり、ひいては結像性能を良好に保つ上で支障を来す可能性がある。
【００２５】
そこで、本願発明者等は、鋭意検討を重ねた結果、これまでは１枚のレンズによって構成していた部分を、２枚のレンズによって構成することに着目した。この２枚のレンズとは、前述の第１レンズＬ１と第２レンズＬ２に他ならない。そうした構成において、前述の条件式（１）〜（４）を全て満たすことで、結像性能を損なうことなく、高倍率化を実現することができる。これにより、本実施形態に係る接眼光学系５２は、特に電子ビューファインダー５、及び、それを備えて成る撮像装置１００に適用したときに、高倍率でありながらも、良好な結像性能を提供することが可能となる。
【００２６】
具体的に、従来品の場合はルーペ倍率が７〜１４程度であるのに対し、本開示に係る接眼光学系５２の場合は、ルーペ倍率が１３〜１８となる。
【００２７】
また、第１レンズＬ１は、一側のレンズ面が凹形状であり、該凹形状を表示面５１ａに向けた姿勢で配置されている。このように構成すると、高倍率でありながらも、良好な結像性能を実現する上で有利になる。
【００２８】
また、第１レンズＬ１は、他側のレンズ面が凸形状である。一方、第２レンズＬ２もまた、少なくとも片面が凸形状である。そして、第１レンズＬ１と第２レンズＬ２は、各々の凸形状同士を向い合わせた姿勢で配置されている。このように構成すると、高倍率でありながらも、良好な結像性能を実現する上で有利になる。
【００２９】
また、第３レンズＬ３は、少なくとも片側のレンズ面が凹形状であり、該凹形状をアイポイントＥＰに向けた姿勢で配置されている。このように構成すると、高倍率でありながらも、良好な結像性能を実現する上で有利になる。
【００３０】
以下、本開示の実施例１〜３を数値データ及び図面に基づいて詳細に説明する。
【００３１】
なお、以下の数値データ及び図面において、ｒｉは、表示面５１ａ側より順に第ｉ番目のレンズ面の曲率半径を示しており、ｄｉは、第ｉ番目のレンズ面と第ｉ＋１番目のレンズ面との間隔（レンズの中心厚、又は、空気間隔）を示している。また、ｎｉは、表示面５１ａ側より順に第ｉ番目のレンズの屈折率を示しており、νｉは、第ｉ番目のレンズのアッベ数を示している。
【００３２】
また、各数値データにおいて、面番号の右側に付されたアスタリスク「＊」は、そのレンズ面が非球面形状であることを示している。この非球面形状は、光軸ＯＡ方向をｚ軸とし、光軸ＯＡに垂直な方向をｙ軸とし、光の進行方向を正として近軸曲率半径をＲとし、円錐係数をＫとし、４次の非球面係数をＡとし、６次の非球面係数をＢとし、８次の非球面係数をＣとし、１０次の非球面係数をＤとし、１２次の非球面係数をＥとすると、下式によって定義されるものである。
【００３３】
【数１】
2019215411.tif 000003
【００３４】
また、「Ｅ−０Ｘ」の表示は、「１０−Ｘ」を意味している。
【００３５】
また、以下の実施例は、いずれも、イメージサークルの大きさがφ６である。
【００３６】
＜実施例１＞
まず、本開示の実施例１について説明する。
【００３７】
−基本構成（実施例１）−
実施例１における接眼光学系５２の基本構成は、図２に示されており、この構成を採用したときの球面収差、非点収差、歪曲収差および横収差は、図３および図４に示されている。図２〜４は、接眼光学系５２の視度を−４ディオプトリーに設定した状態を示している。
【００３８】
ここで、図３は、紙面左側から順に、球面収差、非点収差および歪曲収差を示しており、それぞれにおいて、Ｃ線（波長６５６．２７２５ｎｍ）、ｅ線（波長５４６．０７４０ｎｍ）、Ｆ線（波長４８６．１３２７ｎｍ）に対する収差を示している。図３において、球面収差（横軸は“Ｄｉｏｐｔｅｒ”）の縦軸は、入射高さを最大高さによって規格化した比率を示しており、非点収差（横軸は“Ｄｉｏｐｔｅｒ”）および歪曲収差（横軸は“％”）の縦軸は、それぞれ半画角（°）を示している。特に、球面収差においては、サジタル方向の収差を“Ｓ”と記す一方、タンジェンシャル（メリディオナル）方向の収差を“Ｔ”と記している。
【００３９】
また、図４の左図はタンジェンシャル方向の横収差を示している一方、同図の右図はサジタル方向の横収差を示している。詳しくは、図４は、左右双方とも、Ｃ線、ｅ線、Ｆ線に対する収差の大きさを示しており、紙面上側から順に、像高比を１．００、０．８０、０．６０、０．４０、０．００としたときの横収差を示している。
【００４０】
図２に示す接眼光学系５２において、表示面５１ａ側からアイポイントＥＰ側へ順に、正の屈折力を有する第１レンズＬ１と、正の屈折力を有する第２レンズＬ２と、負の屈折力を有する第３レンズＬ３と、正の屈折力を有する第４レンズＬ４と、が配置されて成る。
【００４１】
ここで、実施例１に係る第１レンズＬ１〜第４レンズＬ４は、表１〜表４に示す数値データに基づいて設計されている。なお、表４において、バックフォーカス及びレンズ全長の値は、双方とも、空気換算によるものである。
【００４２】
また、前述のように、第１レンズＬ１〜第４レンズＬ４は、接眼光学系５２の視度調整に際して、光軸ＯＡに沿って一体的に移動する。これにより、実施例１に係る接眼光学系５２の視度は、−４〜＋２ディオプトリーの範囲で変更可能である。一例として、接眼光学系５２の視度を＋２ディオプトリーに設定した構成、及び、その構成における収差の大きさを図５〜７に示す。このときの面間隔については、表３を参照されたい。
【００４３】
そして、表１３〜１４に示すように、実施例１に係る接眼光学系５２は、前述の条件式（１）〜（４）を全て満たしている。これにより、高い結像性能を保ちつつ、高倍率化を実現することができる。
【００４４】
−数値実施例（実施例１）−
【００４５】
【表１】
2019215411.tif 000004
【００４６】
【表２】
2019215411.tif 000005
【００４７】
【表３】
2019215411.tif 000006
【００４８】
【表４】
2019215411.tif 000007
【００４９】
＜実施例２＞
続いて、本開示の実施例２について説明する。実施例１と重複する部分については、その説明を省略する。
【００５０】
−基本構成（実施例２）−
実施例２における接眼光学系５２の基本構成は、図８に示されており、この構成を採用したときの球面収差、非点収差、歪曲収差および横収差は、図９および図１０に示されている。図８〜１０は、接眼光学系５２の視度を−４ディオプトリーに設定した状態を示している。
【００５１】
図８に示す接眼光学系５２は、表示面５１ａ側からアイポイントＥＰ側へ順に、正の屈折力を有する第１レンズＬ１と、正の屈折力を有する第２レンズＬ２と、負の屈折力を有する第３レンズＬ３と、正の屈折力を有する第４レンズＬ４と、が配置されて成る。
【００５２】
ここで、実施例２に係る第１レンズＬ１〜第４レンズＬ４は、表５〜８に示す数値データに基づいて設計されている。なお、表８において、バックフォーカス及びレンズ全長の値は、双方とも、空気換算によるものである。
【００５３】
また、実施例２に係る第１レンズＬ１〜第４レンズＬ４は、表示面５１ａ側からアイポイントＥＰ側へ向かうにつれて次第に縮径している。
【００５４】
実施例１と同様に、第１レンズＬ１〜第４レンズＬ４は、接眼光学系５２の視度調整に際して、光軸ＯＡに沿って一体的に移動する。これにより、実施例２に係る接眼光学系５２の視度は、−４〜＋２ディオプトリーの範囲で変更可能である。一例として、接眼光学系５２の視度を２ディオプトリーに設定した構成、及び、その構成における収差の大きさを図１１〜１３に示す。このときの面間隔については、表７を参照されたい。
【００５５】
そして、表１３〜１４に示すように、実施例２に係る接眼光学系５２は、実施例１と同様に、前述の条件式（１）〜（４）を全て満たしている。これにより、高い結像性能を保ちつつ、高倍率化を実現することができる。
【００５６】
−数値実施例（実施例２）−
【００５７】
【表５】
2019215411.tif 000008
【００５８】
【表６】
2019215411.tif 000009
【００５９】
【表７】
2019215411.tif 000010
【００６０】
【表８】
2019215411.tif 000011
【００６１】
＜実施例３＞
続いて、本開示の実施例３について説明する。実施例１〜２と重複する部分については、その説明を省略する。
【００６２】
−基本構成（実施例３）−
実施例３における接眼光学系５２の基本構成は、図１４に示されており、この構成を採用したときの球面収差、非点収差、歪曲収差および横収差は、図１５および図１６に示されている。図１４〜１６は、接眼光学系５２の視度を−４ディオプトリーに設定した状態を示している。
【００６３】
図１４に示す接眼光学系５２は、表示面５１ａ側からアイポイントＥＰ側へ順に、正の屈折力を有する第１レンズＬ１と、正の屈折力を有する第２レンズＬ２と、負の屈折力を有する第３レンズＬ３と、正の屈折力を有する第４レンズＬ４と、が配置されて成る。
【００６４】
ここで、実施例３に係る第１レンズＬ１〜第４レンズＬ４は、表９〜１２に示す数値データに基づいて設計されている。なお、表１２において、バックフォーカス及びレンズ全長の値は、双方とも、空気換算によるものである。
【００６５】
また、前記実施例１〜２においては、前述のように、表示面５１ａと第１レンズＬ１との間にカバーガラスＣが介在したところ、この実施例３においては、表示面５１ａと第１レンズＬ１との間に介在する第１カバーガラスＣ１とは別に、第４レンズＬ４とアイポイントＥＰとの間に第２カバーガラスＣ２が介在している。
【００６６】
実施例１〜２と同様に、第１レンズＬ１〜第４レンズＬ４は、接眼光学系５２の視度調整に際して、光軸ＯＡに沿って一体的に移動する。これにより、実施例３に係る接眼光学系５２の視度は、−４〜＋３ディオプトリーの範囲で変更可能である。一例として、接眼光学系５２の視度を３ディオプトリーに設定した構成、及び、その構成における収差の大きさを図１７〜１９に示す。このときの面間隔については、表１１を参照されたい。
【００６７】
そして、表１３〜１４に示すように、実施例３に係る接眼光学系５２は、実施例１〜２と同様に、前述の条件式（１）〜（４）を全て満たしている。これにより、高い結像性能を保ちつつ、高倍率化を実現することができる。
【００６８】
−数値実施例（実施例３）−
【００６９】
【表９】
2019215411.tif 000012
【００７０】
【表１０】
2019215411.tif 000013
【００７１】
【表１１】
2019215411.tif 000014
【００７２】
【表１２】
2019215411.tif 000015
【００７３】
＜条件式（１）〜（４）に関連した数値データ＞
以下、条件式（１）〜（４）に関連した数値データを表１３〜１４に示す。
【００７４】
なお、表１３〜１４において、ｆ１は第１レンズＬ１の焦点距離を示しており、ｆ２は第２レンズＬ２の焦点距離を示しており、ｆ２３は第２レンズＬ２と第３レンズＬ３の合成焦点距離を示しており、ｆ３４は第３レンズＬ３と第４レンズＬ４の合成焦点距離を示している。
【００７５】
前述のように、実施例１〜３は、いずれも条件式（１）〜（４）を全て満たしている。
【００７６】
【表１３】
2019215411.tif 000016
【００７７】
【表１４】
2019215411.tif 000017
【符号の説明】
【００７８】
１００    撮像装置
５        電子ビューファインダー
５１ａ    表示面
５２      接眼光学系
Ｌ１      第１レンズ
Ｌ２      第２レンズ
Ｌ３      第３レンズ
Ｌ４      第４レンズ
ＥＰ      アイポイント（瞳）
ＯＡ      光軸
【図１】
2019215411.tif 000018
【図２】
2019215411.tif 000019
【図３】
2019215411.tif 000020
【図４】
2019215411.tif 000021
【図５】
2019215411.tif 000022
【図６】
2019215411.tif 000023
【図７】
2019215411.tif 000024
【図８】
2019215411.tif 000025
【図９】
2019215411.tif 000026
【図１０】
2019215411.tif 000027
【図１１】
2019215411.tif 000028
【図１２】
2019215411.tif 000029
【図１３】
2019215411.tif 000030
【図１４】
2019215411.tif 000031
【図１５】
2019215411.tif 000032
【図１６】
2019215411.tif 000033
【図１７】
2019215411.tif 000034
【図１８】
2019215411.tif 000035
【図１９】
2019215411.tif 000036